【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
滑動体とラッチ機構の組合せにおいて、
前記滑動体は、第１滑動部材および第２滑動部材を含み、前記第１滑動部材と第２滑動部材が互いに相対的に動くようになされており、
前記ラッチ機構は、可動ラッチレバーを有する第１ラッチ部材と、前記第２滑動部材に配設された第２ラッチ部材と、プランジャの直線的な動きを制御するように構成された制御可能なアクチュエータとを含み、
前記第１ラッチ部材は、前記第１滑動部材に配設され、前記可動ラッチレバーが、前記第２滑動部材に向かって伸長する第１端部を有するとともに、第１位置と少なくとも第２位置との間で可動であり、
前記第２ラッチ部材は、前記第２滑動部材に配設され、前記第１滑動部材に向かって前記第２滑動部材から外側に伸長し、
前記アクチュエータにおける前記プランジャは、伸長位置と後退位置との間で動くことができ、前記制御可能なアクチュエータは、非給電時に前記プランジャが前記伸長位置から前記後退位置に動くことを防ぐとともに、給電時に前記プランジャが前記伸長位置から前記後退位置に動くことを許容するようになっており、
もって、前記プランジャが前記伸長位置にあり、前記制御可能なアクチュエータが非給電で、前記ラッチレバーが前記第１位置にある時に、前記第２ラッチ部材が前記ラッチレバーの前記第１端部を通過することを許容される位置に、前記ラッチレバーが動かないようにする前記プランジャによって、前記第２滑動部材が前記第１滑動部材から伸長することを防止され、前記制御可能なアクチュエータが給電時に、前記プランジャを前記後退位置に動かすことによって前記第２位置に前記ラッチレバーを動かすように強制する前記第２ラッチ部材によって、前記第２滑動部材が前記滑動部材から伸長することを許容されるように構成された滑動体とラッチ機構の組合せ。
【請求項２】
前記制御可能なアクチュエータが、圧電制御器を含む請求項１に記載された滑動体とラッチ機構の組合せ。
【請求項３】
前記第１ラッチ部材が、シャフトに装架された前記ラッチレバーを含み、前記シャフトが、ブラケットによって回転可能に支持されている請求項１に記載された滑動体とラッチ機構の組合せ。
【請求項４】
前記第１ラッチ部材が、前記ブラケットに可動に配設されたラッチ滑動子をさらに含み、該ラッチ滑動子が開口を画成し、前記ラッチレバーの第２端部が前記開口を通して延在する請求項３に記載された滑動体とラッチ機構の組合せ。
【請求項５】
付勢部材が、前記ラッチレバーの前記第１端部と前記ラッチ滑動子との間に配置され、該付勢部材が、前記プランジャに向けて前記ラッチレバーを付勢する請求項４に記載された滑動体とラッチ機構の組合せ。
【請求項６】
前記第１滑動部材が、外部滑動体を含み、前記第２滑動部材が、内部滑動体を含む請求項１に記載された滑動体とラッチ機構の組合せ。
【請求項７】
前記内部滑動体が、引出しに配設されている請求項６に記載された滑動体とラッチ機構の組合せ。
【請求項８】
前記圧電制御器が、前記第１ラッチ部材に隣接する前記第１滑動部材に装架されている請求項１に記載された滑動体とラッチ機構の組合せ。
【請求項９】
ラッチ装置と、ラッチ舌片と、圧電制御器とを含むラッチ機構において、
前記ラッチ装置が、第１、第２および第３位置の間で動かされるようにシャフトに装架されたラッチレバーを含み、該ラッチレバーが第１および第２端部を有しており、
前記ラッチ舌片は、前記ラッチレバーの前記第２端部と選択的に係合する部材であり、
前記圧電制御器が、少なくとも前記第１および第２位置の間の前記ラッチレバーの動きを選択的に制御するように構成されたプランジャを有し、前記プランジャが前記ラッチレバーの前記第１位置に対応する伸張位置と、前記ラッチレバーの前記第２位置に対応する後退位置との間で可動であり、また、非給電時に、前記プランジャが前記伸張位置から前記後退位置へ動くことを防ぎ、給電時に、前記プランジャが前記伸張位置から前記後退位置へ動くことを許容するように構成されているラッチ機構。
【請求項１０】
前記ラッチ装置が装架ブラケットをさらに含み、前記装架ブラケットが前記シャフトを回転可能に支持している請求項９に記載されたラッチ機構。
【請求項１１】
前記ラッチ装置が、装架ブラケットと、前記装架ブラケットに可動に装架されたラッチ滑動子とをさらに含み、前記装架ブラケットが開口を画成し、該開口を通して前記ラッチレバーの前記第１端部が伸張しており、
前記圧電制御器の前記プランジャが、前記ラッチ滑動子の第１端部に選択的に係合するように構成されている請求項９に記載されたラッチ機構。
【請求項１２】
前記ラッチレバーの前記ラッチ滑動子と前記第１端部との間に配置された付勢部材を含み、該付勢部材が、前記圧電制御器の前記プランジャに向かって前記ラッチレバーの前記第１端部を付勢するように構成されている請求項９に記載されたラッチ機構。
【請求項１３】
前記制御器が、非給電状態で、前記プランジャが前記伸張位置にある時に、前記ラッチレバーが、前記付勢部材に抗して前記第３位置に動くことを許容されるように構成されている請求項９に記載されたラッチ機構。
【請求項１４】
前記シャフトに配設された手動解除レバーをさらに含み、前記手動解除レバーが、前記ラッチレバーを前記第３位置に動かすように構成されている請求項９に記載されたラッチ機構。
【請求項１５】
前記ラッチ装置を装架するための第１ブラケットと、前記圧電制御器を装架するための第２ブラケットとを含む請求項９に記載されたラッチ機構。
【請求項１６】
滑動機構を選択的に錠止する方法であり、
圧電制御器を非給電状態にする段階と、
前記制御器を非給電状態にした結果として、前記圧電制御器のプランジャを伸張位置に錠止する段階と、
前記滑動機構の第１滑動体と組み合うラッチレバーが錠止位置から非錠止位置まで回転することを、前記錠止されたプランジャによって防ぐ段階と、
該第２滑動体に付随するラッチ舌片の前記錠止されたラッチレバーとの係合によって、前記滑動機構の第２滑動体が前記第１滑動体から延出することを防ぐ段階と、
前記圧電制御器に給電する段階と、
前記制御器に対する前記給電の結果として、該圧電制御器の前記プランジャを非錠止状態にする段階と、
前記伸張位置から後退位置まで前記プランジャを動かして、前記錠止位置から前記非錠止位置まで前記ラッチレバーを回転させることにより、前記ラッチ舌片が前記ラッチレバー位置を通過できるようになし、もって、前記第２滑動体が前記第１滑動体から延出することを可能にする段階とを含む、滑動機構を選択的に錠止する方法。
【請求項１７】
前記錠止位置から解放位置まで前記ラッチレバーを回転させて、前記ラッチ舌片が前記ラッチレバー位置を通過できるようにすることで、前記第２滑動体が前記第１滑動体内に延在することを許容する段階をさらに含み、前記解放位置は、前記錠止位置からの回転方向が、前記非錠止位置の場合の前記錠止位置からの回転方向とは概ね逆方向である請求項１６に記載された滑動機構を選択的に錠止する方法。
【請求項１８】
前記ラッチレバーが錠止位置から非錠止位置まで回転することを防ぐ前記段階が、前記ラッチレバーの第２端部をラッチ滑動子と係合させる段階と、前記ラッチ滑動子を前記制御器の前記プランジャと係合させる段階とを含む請求項１６に記載された滑動機構を選択的に錠止する方法。
【請求項１９】
前記第２滑動体が延在することを許容する段階が、前記ラッチ滑動子に対して前記ラッチレバーの前記第２端部を回転させる段階と、前記ラッチ滑動子が前記延在位置から前記後退位置まで前記プランジャを押す段階とをさらに含む請求項１８に記載された滑動機構を選択的に錠止する方法。
【請求項２０】
前記後退位置から前記延在位置まで前記プランジャを動かす段階と、前記ラッチ舌片が前記ラッチレバー位置を通過した後に前記制御器を非給電状態にする段階とを含む請求項１６に記載された滑動機構を選択的に錠止する方法。
【請求項２１】
前記ラッチレバーが、シャフト上で回転するように構成されている請求項１８に記載された滑動機構を選択的に錠止する方法。
【請求項２２】
前記滑動機構が引出しに配設されている請求項１６に記載された滑動機構を選択的に錠止する方法。
【請求項２３】
前記滑動機構がドアに配設されている請求項１６に記載された滑動機構を選択的に錠止する方法。
【請求項２４】
ラッチ装置と、ラッチ舌片と、圧電制御器と、付勢部材とを含むラッチ機構において、
前記ラッチ装置が、第１、第２および第３位置の間で動かされるようにシャフトに装架されたラッチレバーを含み、該ラッチレバーが第１および第２端部を有しており、
前記ラッチ舌片は、前記ラッチレバーの前記第２端部と選択的に係合する部材であり、
前記圧電制御器が、少なくとも前記第１および第２位置の間の前記ラッチレバーの動きを選択的に制御するように構成されたプランジャを有し、
前記付勢部材が、前記圧電制御器の前記プランジャに向けて前記ラッチレバーの前記第１の端部を付勢し、
前記プランジャが前記ラッチレバーの前記第１位置に対応する伸張位置と、前記ラッチレバーの前記第２位置に対応する後退位置との間で可動であり、また、
前記圧電制御器が、非給電時に、前記プランジャが前記伸張位置から前記後退位置へ動くことを防ぎ、給電時に、前記プランジャが前記伸張位置から前記後退位置へ動くことを許容するように構成されているラッチ機構。
【請求項２５】
滑動機構を選択的に錠止する方法であり、
圧電制御器を非給電状態にする段階と、
前記制御器を非給電状態にした結果として、前記圧電制御器のプランジャを伸張位置に錠止する段階と、
前記滑動機構の第１滑動体と組み合うラッチレバーが錠止位置から非錠止位置まで回転することを、前記錠止されたプランジャによって防ぐ段階と、
該第２滑動体に付随するラッチ舌片の前記錠止されたラッチレバーとの係合によって、前記滑動機構の第２滑動体が前記第１滑動体から延出することを防ぐ段階と、
付勢部材を前記ラッチ滑動子と前記ラッチレバーの第１の端部との間に配置することによって、前記ラッチレバーを前記プランジャに向けて付勢する段階と、
前記圧電制御器に給電する段階と、
前記制御器に対する前記給電の結果として、該圧電制御器の前記プランジャを非錠止状態にする段階と、
前記伸張位置から後退位置まで前記プランジャを動かして、前記錠止位置から前記非錠止位置まで前記ラッチレバーを回転させることにより、前記ラッチ舌片が前記ラッチレバー位置を通過できるようになし、もって、前記第２滑動体が前記第１滑動体から延出することを可能にする段階とを含む、滑動機構を選択的に錠止する方法。